(57)【要約】      （修正有）【課題】表面側からの光では、背景部や表示部を立体的な印象で視認でき、背面側から照光されたとき、表示部や背景部に光の濃淡や筋が形成されることを防止でき、優れた外観品質を確保し易いキーシートを提供する。【解決手段】透明なキートップ部１３と、キートップ部１３の背面側に積層された複数の透光性のライン２１からなるボーダーライン層２２と、ボーダーライン層２２の背面側に積層されて、複数のライン２１間に入り込むように形成された地色層２３と、地色層２３の背面側に積層されて、光が透過不能に形成された遮光層２５とを備え、地色層２３の表示部１５の位置には、表示部１５の形状で開口した第１の抜き形状部２３ａが設けられ、ボーダーライン層２２及び遮光層２５の表示部１５の位置には、第１の抜き形状部２３ａ以上の大きさで開口した第２及び第３の抜き形状部２１ａ、２５ａが設けられている。【選択図】図４
2010092744.tif 000002
【特許請求の範囲】
【請求項１】
キートップ部に所定形状の表示部と、前記表示部以外の背景部とが表面側から視認可能に設けられ、背面側から照光されることで、前記表示部を透過した光が表面側から放射されるキーシートにおいて、
透明な前記キートップ部と、
前記キートップ部の背面側に積層されて、透光性の複数の模様要素からなる模様層と、
前記模様層の背面側に積層されて、前記複数の模様要素間に入り込むように形成された地色層と、
前記地色層の背面側に積層されて、前記背面側から照光された際の光が透過不能に形成された遮光層とを備え、
前記地色層の前記表示部の位置には、前記表示部の形状で開口した第１の抜き形状部が設けられ、
前記模様層及び前記遮光層の前記表示部の位置には、前記第１の抜き形状部以上の大きさで開口した第２及び第３の抜き形状部が設けられていることを特徴とするキーシート。
【請求項２】
前記地色層が、光を乱反射可能な透光性の層からなり、前記模様層に設けられた前記第２の抜き形状部が、前記地色層に設けられた前記第１の抜き形状部より大きく形成されることにより、前記模様層の前記表示部側の縁部より内側に前記地色層が設けられていることを特徴とする請求項１に記載のキーシート。
【請求項３】
前記遮光層に設けられた前記第３の抜き形状部は、前記地色層に設けられた前記第１の抜き形状部より大きく形成されることにより、前記遮光層の前記表示部側の縁部より内側に前記地色層が設けられていることを特徴とする請求項１又は２に記載のキーシート。
【請求項４】
前記模様層の全ての前記模様要素が、平面視で前記遮光層の範囲内に配置されていることを特徴とする請求項１乃至３の何れか一つに記載のキーシート。
【請求項５】
前記第３の抜き形状部が前記第２の抜き形状部より小さく形成されることにより、前記模様層の前記表示部側の縁部より内側に前記遮光層が設けられていることを特徴とする請求項４に記載のキーシート。
【請求項６】
前記地色層に設けられた前記第１の抜き形状部の内側には、前記背面側からの光を散乱させて透過可能な隠蔽層が設けられていることを特徴とする請求項１乃至５の何れか一つに記載のキーシート。
【請求項７】
前記隠蔽層は、前記地色層の前記第１の抜き形状部及び前記遮光層の前記第３の抜き形状部より大きく設けられていることを特徴とする請求項６に記載のキーシート。
【請求項８】
キートップ部に、所定形状の表示部と、前記表示部以外の背景部とが表面側から視認可能に設けられ、背面側から照光されることで、前記表示部を透過した光が表面側から放射されるキーシートを製造する方法において、
透明なキートップ部の背面側に、透光性の複数の模様要素からなる模様層を形成する工程と、
前記模様層の背面側に積層すると共に、前記複数の模様要素間に入り込むように地色層を形成する工程と、
前記地色層の背面側に、前記背面側から照光された光が透過不能な遮光層を形成する工程とを含み、
前記地色層を形成する工程では、前記表示部の位置に、前記表示部の形状で開口した第１の抜き形状部を設け、
前記模様層及び前記遮光層を形成する工程では、前記表示部の位置に、前記第１の抜き形状部以上の大きさで開口した第２及び第３の抜き形状部を設けることを特徴とするキーシートの製造方法。
【発明の詳細な説明】
【技術分野】
【０００１】
この発明は、キートップ部に文字、数字、記号、図形等の表示部と、その周りの背景部とが表面側から視認可能に設けられ、背面側から照光されることで表示部から光が表面側に放射されるキーシート及びその製造方法に関する。
【背景技術】
【０００２】
各種スイッチ、リモコン装置、携帯電話等の操作パネルに用いられるキーシートには、入力操作が行われるキートップ部が１個或いは複数個設けられている。各キートップ部には各種の意匠が付されており、地色又は地模様となる背景部と、文字、数字、記号、図形等の表示部とが、表面側から視認可能に設けられたものが多数存在する。
【０００３】
看者に立体的な印象を与える地模様を備えたキーシートも知られており、例えば、下記特許文献１には、透明な成形体の底面側に、透明印刷層と光輝性粒子を含む光輝層とを有し、透明印刷層を背景に光輝層が明るく立体的に浮き出るように構成された立体地模様層を備えた加飾成形体が提案されている。ここでは、透明なキートップ本体の底面に、透明印刷層と光輝層とにより立体地模様層が形成され、更に、着色層により文字、記号、図形などを表す表示部が形成されている。
【０００４】
このような加飾成形体では、キートップ部を表面側から視認すると、表示部として形成された数字や文字が平面的に観察され、その背景には等間隔に浮かび上がる縦縞が立体的な地模様として観察される。そのため、立体的な背景に平面的な数字や文字が置かれた外観が得られている。
【特許文献１】特開２００７−１７３１８３号公報
【発明の開示】
【発明が解決しようとする課題】
【０００５】
しかしながら、従来のキーシートでは、表面側からの光により視認する間は、背景部では透明印刷層による縦縞が適度に視認でき、表示部では透明印刷層が視認されずに数字や文字等を鮮明に視認できるが、背面側から照光される用途では、照光された際、透明印刷層が表面側から過剰に強く視認され易くなり、表面側からの光により視認される場合に比べると、著しく外観品質が低下し易いことが明らかとなった。例えば、背面側からの光により透明印刷層、特にその縁部等において光の濃淡や筋が形成され、表示部では数字や文字などが識別し難くなり、背景部では立体的な縦縞とは全く異なる印象の光の縦縞が形成されることがある。
【０００６】
そこで、この発明では、表面側からの光により視認されるときには、背景部や表示部を立体的な印象で視認でき、背面側からの光により視認されるときには、表示部や背景部に光の濃淡や筋が形成されることを防止でき、優れた外観品質を確保し易いキーシートを提供することを課題とする。
【課題を解決するための手段】
【０００７】
上記課題を解決する請求項１に記載のキーシートは、キートップ部に所定形状の表示部と、前記表示部以外の背景部とが表面側から視認可能に設けられ、背面側から照光されることで、前記表示部を透過した光が表面側から放射されるキーシートにおいて、透明な前記キートップ部と、前記キートップ部の背面側に積層されて、透光性の複数の模様要素からなる模様層と、前記模様層の背面側に積層されて、前記複数の模様要素間に入り込むように形成された地色層と、前記地色層の背面側に積層されて、前記背面側から照光された際の光が透過不能に形成された遮光層とを備え、前記地色層の前記表示部の位置には、前記表示部の形状で開口した第１の抜き形状部が設けられ、前記模様層及び前記遮光層の前記表示部の位置には、前記第１の抜き形状部以上の大きさで開口した第２及び第３の抜き形状部が設けられていることを特徴とする。
【０００８】
請求項２に記載のキーシートは、請求項１に記載の構成に加え、前記地色層が、光を乱反射可能な透光性の層からなり、前記模様層に設けられた前記第２の抜き形状部が、前記地色層に設けられた前記第１の抜き形状部より大きく形成されることにより、前記模様層の前記表示部側の縁部より内側に前記地色層が設けられていることを特徴とする。
【０００９】
請求項３に記載のキーシートは、請求項１又は２に記載の構成に加え、前記遮光層に設けられた前記第３の抜き形状部は、前記地色層に設けられた前記第１の抜き形状部より大きく形成されることにより、前記遮光層の前記表示部側の縁部より内側に前記地色層が設けられていることを特徴とする。
【００１０】
請求項４に記載のキーシートは、請求項１乃至３の何れか一つに記載の構成に加え、前記模様層の全ての前記模様要素が、平面視で前記遮光層の範囲内に配置されていることを特徴とする。
【００１１】
請求項５に記載のキーシートは、請求項４に記載の構成に加え、前記第３の抜き形状部が前記第２の抜き形状部より小さく形成されることにより、前記模様層の前記表示部側の縁部より内側に前記遮光層が設けられていることを特徴とする。
【００１２】
請求項６に記載のキーシートは、請求項１乃至５の何れか一つに記載の構成に加え、前記地色層に設けられた前記第１の抜き形状部の内側には、前記背面側からの光を散乱させて透過可能な隠蔽層が設けられていることを特徴とする。
【００１３】
請求項７に記載のキーシートは、請求項６に記載の構成に加え、前記隠蔽層は、前記地色層の前記第１の抜き形状部及び前記遮光層の前記第３の抜き形状部より大きく設けられていることを特徴とする。
【００１４】
請求項８に記載のキーシートの製造方法は、キートップ部に、所定形状の表示部と、前記表示部以外の背景部とが表面側から視認可能に設けられ、背面側から照光されることで、前記表示部を透過した光が表面側から放射されるキーシートを製造する方法において、透明なキートップ部の背面側に、透光性の複数の模様要素からなる模様層を形成する工程と、前記模様層の背面側に積層すると共に、前記複数の模様要素間に入り込むように地色層を形成する工程と、前記地色層の背面側に、前記背面側から照光された光が透過不能な遮光層を形成する工程とを含み、前記地色層を形成する工程では、前記表示部の位置に、前記表示部の形状で開口した第１の抜き形状部を設け、前記模様層及び前記遮光層を形成する工程では、前記表示部の位置に、前記第１の抜き形状部以上の大きさで開口した第２及び第３の抜き形状部を設けることを特徴とする。
【発明の効果】
【００１５】
請求項１に記載のキーシートによれば、背面側から照光されない間には、透明なキートップ部の背面側に透光性の複数の模様要素からなる模様層が積層され、この模様層の背面側に地色層が積層されて複数の模様要素間に入り込むように形成されているので、表面側からの光により、背景部が複数の模様要素と地色層とにより立体的な印象で視認される。また、表示部が第１乃至第３の抜き形状部を開口させることで設けられているので、背景部とは異なる印象となり、表示部が立体的な印象の背景部から浮き上がり、或いは、沈み込んだ印象で視認される。
【００１６】
そして、背面側から照光された際には、表示部の位置に第１乃至第３の抜き形状部が設けられているので、背面側からの光が表示部から表面側に放射されて視認される。このとき、模様層に第２の抜き形状部が設けられることで、表示部には模様層の模様要素が存在していないので、模様要素による光の濃淡や筋が表示部に形成されることがなく、表示部から均一な光を放射し易い。同時に、遮光層が地色層の背面側に積層されているので、背面側からの光が地色層を透過して模様層に到達し難く、背景部に模様要素による光の濃淡や筋が形成され難い。
【００１７】
その結果、表面側からの光により視認されるときには、背景部や表示部を立体的な印象で視認でき、背面側からの光により視認されるときには、表示部や背景部に光の濃淡や筋が形成されずに表示部から放射される光を視認できるので、優れた外観品質を確保することが可能である。
【００１８】
請求項２に記載のキーシートによれば、地色層が光を乱反射可能な透光性の層からなり、模様層に設けられた第２の抜き形状部が、地色層に設けられた第１の抜き形状部より大きく形成されることにより、模様層の表示部側の縁部より内側に地色層が設けられているので、模様層の各模様要素と表示部との間が離間されて表示部の近接周囲が光を乱反射可能な地色層で囲まれている。そのため、背面側から照光されない間は表面側からの光の乱反射により表示部が縁取られることで、表示部が立体的な印象の背景部からより浮き上がり、或いは、沈み込んだ印象で視認させることができる。更に、背面側から照光された際には、背面側から第１の抜き形状部を透過する光が模様層の模様要素の表示部側の端部に直接到達することがない上に、地色層を透過した光等が模様層の模様要素の表示部側の端部等に到達して光の濃淡や筋などが形成されたとしても、表示部の近接周囲の地色層の乱反射によりその光の濃淡や筋を目立ち難くすることができる。
【００１９】
請求項３に記載のキーシートによれば、遮光層に設けられた第３の抜き形状部が、地色層に設けられた第１の抜き形状部より大きく形成されることにより、前記遮光層の前記表示部側の縁部より内側に前記地色層が設けられているので、遮光層の第３の抜き形状部と地色層の第１の抜き形状部とに僅かなズレが生じても地色層から遮光層がはみ出して外部から視認されることがなくて優れた外観品質を確保し易い上に、背面側から照光された際に、背面側からの光が地色層を透過して表示部の近接周囲を囲むように放射されることで表示部が縁取られるため、表示部をより鮮やかに表示することができる。
【００２０】
請求項４に記載のキーシートによれば、模様層の全ての模様要素が平面視で遮光層の範囲内に配置されているので、背面側から照光された際、地色層を透過した光が模様層の模様要素に到達し難く、背景部に模様層による光の濃淡や筋が形成されることをより確実に防止することができる。
【００２１】
請求項５に記載のキーシートによれば、第３の抜き形状部が第２の抜き形状部より小さく形成されることにより、模様層の表示部側の縁部より内側に遮光層が設けられているので、背面側から照光することにより表示部において光を放出させるようにしていても、表示部の乱反射等により模様層の表示部側の縁部に光が到達することをより確実に防止し易くできる。
【００２２】
請求項６に記載のキーシートによれば、地色層に設けられた第１の抜き形状部の内側には、背面側からの光を散乱させて透過可能な隠蔽層が設けられているので、背面側から照光されない間には、表示部を通して表面側から背面側が視認されることを防止でき、背面側から照光された際には、背面側からの光をより均一に表示部から放射して視認させることが可能であり、外観品質をより向上し易い。
【００２３】
請求項７に記載のキーシートによれば、隠蔽層が地色層の第１の抜き形状部及び遮光層の第３の抜き形状部より大きく設けられているので、平面視において、地色層及び遮光層と隠蔽層との間に間隙が形成されず、背面側から照光された際に、表示部の近接周囲に背面側からの光が強くなる部位が形成されることがなく、外観品質をより向上し易い。
【００２４】
請求項８に記載のキーシートの製造方法によれば、表面側からの光により視認されるときには、背景部や表示部を立体的な印象で視認でき、背面側からの光により視認されるときには、表示部や背景部に光の濃淡や筋が形成されない優れた外観品質を確保できるキーシートを製造することが可能である。
【発明を実施するための最良の形態】
【００２５】
以下、この発明の実施の形態を、図１乃至図５を用いて説明する。
【００２６】
この実施の形態のキーシート１０は、図１乃至図４に示すように、携帯電話等の操作パネルに使用されるものである。キーシート１０は、透明なシート材１１の表面に、操作位置毎に透明な成形体からなるキートップ本体１２が固定されることで形成されており、ここではシート材１１とキートップ本体１２とによりキートップ部１３が構成されている。各キートップ部１３には、文字、数字、記号、図形等の所定形状を表示する表示部１５と、表示部１５以外の背景部１７とが表面側から視認可能に設けられている。
【００２７】
このキーシート１０は、各キートップ部１３が電気部品の接点等の入力部上に押圧操作可能に配置されて、背面側に設けられたＬＥＤ等の発光体３１により照光可能となっているが、詳細な図示は省略されている。
【００２８】
キーシート１０を構成するシート材１１及びキートップ本体１２は、各キートップ部１３を手指により押圧した際に押圧操作が可能であり、且つ、表示部１５及び背景部１７が視認可能な程度に透明な無色又は有色の樹脂等の材料からなるものを用いることができる。例えば、シート材１１としては、ＰＥＴ、ポリカーボネート、ウレタン樹脂等からなるシート状材料を用いてもよく、キートップ本体１２としては、透明な紫外線硬化樹脂等によりシート材１１と一体に成形された成形体を用いてもよい。
【００２９】
各キートップ部１３の表示部１５及び背景部１７は、図３及び図４に示すように、シート材１１の背面側に各種の層を積層することで形成されており、複数の線又は帯形状を呈する透光性の模様要素としてのライン２１が互いに平行に略等間隔で配置されることで形成された模様層としてのボーダーライン層２２と、ボーダーライン層２２の背面側に積層されて複数のライン２１間に入り込むように形成された地色層２３と、地色層２３の背面側に積層されて光が透過不能に形成された遮光層２５とを備えている。なお、図３及び図４では、一部の層がシート材１１から離間した展開状態で図示されているが、実際には、全ての層がシート材１１の背面側に順次密着して積層されている。
【００３０】
地色層２３の表示部１５となる位置には、表示部１５の形状で開口した第１の抜き形状部２３ａが設けられている。また、ボーダーライン層２２の表示部１５となる位置には、第１の抜き形状部２３ａ以上の大きさで開口した第２の抜き形状部２１ａが設けられている。この第２の抜き形状部２１ａでは、ボーダーライン層２２を構成する複数のライン２１の先端やライン２１の側縁により境界が構成されており、ライン２１が存在しない部位では境界が欠けた状態となっている。更に、遮光層２５の表示部１５となる位置には、第１の抜き形状部２３ａ以上の大きさで開口した第３の抜き形状部２５ａが設けられている。
【００３１】
この実施の形態では、ボーダーライン層２２に設けられた第２の抜き形状部２１ａが、地色層２３に設けられた第１の抜き形状部２３ａより大きい相似形状に形成されている。第２の抜き形状部２１ａが第１の抜き形状部２３ａより大きければ、ボーダーライン層２２の各ライン２１と表示部１５との間を僅かに離間させて、表示部１５の近接周囲を地色層２３で囲むことができ、表示部１５の外観品質を確保し易くできるからである。
【００３２】
また、遮光層２５に設けられた第３の抜き形状部２５ａが、地色層２３に設けられた第１の抜き形状部２３ａより大きい相似形状に形成されている。第３の抜き形状部２５ａが第１の抜き形状部２３ａより大きければ、遮光層２５を表示部１５から僅かに離間させることができ、表示部１５の外観品質を確保し易くできるからである。
【００３３】
更に、ボーダーライン層２２に設けられた第２の抜き形状部２１ａが、遮光層２５に設けられた第３の抜き形状部２５ａと同じ大きさに形成されることで、ボーダーライン層２２の全てのライン２１が、平面視で遮光層２５の範囲内に配置されている。このように地色層２３を介して配置されるボーダーライン層２２と遮光層２５との相対関係を調整することで、背面側から照光された際の背景部１７の外観品質を確保し易くできるからである。
【００３４】
このようなキーシート１０において、地色層２３はキートップ部１３の背景部１７を構成する層であり、キートップ部１３を通して視認される地色層２３の外観が背景部１７の一部を構成している。この地色層２３は無模様であっても、任意の模様が付与されたものであってもよく、また、有彩色であっても、無彩色であってもよく、更に、単色であっても、複数の色彩が存在していてもよい。
【００３５】
この実施の形態では、地色層２３は透光性を有する母材中に金属微粒子等が分散されたメタリックインキからなり、光を乱反射可能な透光性の層となっている。地色層２３が光を乱反射可能な透光性の層、特に、メタリックインキからなれば、キートップ部１３の背景部１７を表面側からの光で視認した際には、表面側からの光が乱反射されるため背景部１７の光沢が得られ、背面側から照光した際には、背面側からの光が地色層２３に到達した部位では、背景部１７から乱反射された光を放射させることができ、背景部１７の他の部位とは異なる印象を得ることができる。
【００３６】
ボーダーライン層２２は、透光性の材料により形成された複数の平行なライン２１からなり、地色層２３の表面側に設けられることで、地色層２３と共にキートップ部１３の背景部１７を構成する層である。このボーダーライン層２２は、表面側からキートップ部１３を通して地色層２３と共に視認されたとき、例えば図２に示すように、地色層２３の外観にライン２１に対応した縞模様を付与することができる。
【００３７】
この実施の形態では、キートップ部１３のシート材１１を構成する樹脂とは異なる屈折率を有する透明インキにより形成されている。ボーダーライン層２２の各ライン２１をシート材１１と異なる屈折率とすることで、キーシート１０を表面側から視認したとき、地色層２３までの距離感を異ならせることができ、地色層２３にライン２１に基づく立体的な凹凸感を付与することが可能となる。なお、ボーダーライン層２２はシート材１１及びキートップ本体１２より透明性を低下させたり、着色していてもよい。
【００３８】
遮光層２５は、背面側から照光された際、背面側からの光を遮光する層であり、透過率が十分に低く、背面側からの光がボーダーライン２１に到達しないように、好ましくは全く到達しないようにする層である。この遮光層２５としては、少なくとも地色層２３より透光性の低い材料からなるのが好適であり、ここでは、光が透過不能な黒色インキにより形成されている。
【００３９】
この実施の形態のキーシート１０では、地色層２３に設けられた第１の抜き形状部２３ａの内側に、地色層２３とは異なる色で、背面側からの光を散乱させて透過可能な着色隠蔽層２８が設けられている。
【００４０】
着色隠蔽層２８は、各表示部１５毎に異なる色で地色層２３よりも光が透過可能に設けられた透光性加飾層２７ａ、２７ｂ、２７ｃと、透光性加飾層２７ａ、２７ｂ、２７ｃより背面側に積層された白色散乱層２９とからなる。
【００４１】
透光性加飾層２７ａ、２７ｂ、２７ｃは、第１の抜き形状部２３ａにより外縁形状が形成された表示部１５に色彩を付与する層であり、例えば着色インキ等により形成されている。背面側から照光されない間は、キートップ部１３を通して透光性加飾層２７ａ、２７ｂ、２７ｃで反射された光により表示部１５に色彩が付され、背面側から照光された際には、背面側から透光性加飾層２７ａ、２７ｂ、２７ｃを透過した光がキートップ部１３を通して表面側に放射されることで表示部１５に色彩が付される。
【００４２】
白色散乱層２９は、キーシート１０表面側から表示部１５を通して背面側が視認されることを防止する層であり、例えば白色インキ等により形成されている。ここでは、背面側から照光された際、背面側からの光を拡散して表示部１５から放射させる光を均一化し、また、透光性加飾層２７ａ、２７ｂ、２７ｃの色調整を行い、更に、裏移りを防止することが可能となっている。
【００４３】
この着色隠蔽層２８の透光性加飾層２７ａ、２７ｂ、２７ｃは、第１乃至第３の抜き形状部２１ａ、２３ａ、２５ａよりも大きく形成されており、白色散乱層２９はキートップ部１３の背面全体を覆うように形成されている。このようにすれば、地色層２３及び遮光層２５と着色隠蔽層２８との間に間隙が形成されることがなく、背面側から照光された際、表示部１５の周縁に背面側からの光が強く放射される部位が形成されることを防止できる。
【００４４】
なお、このキーシート１０では、シート材１１の背面側のキートップ部１３を除く部位に、艶消しの黒色からなり光が透過不能な表面遮光層１９が設けられている。この表面遮光層１９は遮光層２５と同一の遮光性材料から形成されていてもよく、異なる遮光性材料から形成されていてもよいが、ここでは、表面遮光層１９と遮光層２５とが同一の材料となっている。これらの遮光性材料は黒色に限られることなく、白色等他の色であってもよい。この表面遮光層１９により各キートップ部１３の周囲が囲まれ、更に、各キートップ部１３の背景部１７が表面遮光層１９に隣接して設けられることで、キーシート１０が表面側から視認された際、各キートップ部１３の独立した印象が得られている。
【００４５】
次に、このような構成のキーシート１０の製造方法について、図５を用いて説明する。
【００４６】
キーシート１０を製造するには、まず、図５（ａ）に示すような平坦なシート材１１の一方の表面側の所定位置に、図５（ｂ）に示すように、紫外線硬化樹脂を成形及び硬化させることで、成形体からなるキートップ本体１２を一体に形成し、複数のキートップ部１３を形成する。
【００４７】
シート材１１の背面側には、図５（ｃ）に示すように、キートップ部１３以外の位置に黒インキを塗りつぶすベタ印刷を行うことで、表面遮光層１９を形成する。
【００４８】
次いで、図５（ｄ）に示すように、透明インキを印刷して複数の透光性のライン２１を形成することでボーダーライン層２２を形成する。その際、表示部１５の位置では、透明インキを印刷せずにボーダーライン層２２を表示部１５の形状より大きく開口させることで、第２の抜き形状部２１ａを形成する。この第２の抜き形状部２１ａの表示部１５の外縁からのオフセット量、即ち、第１の抜き形状部２３ａからのオフセット量は、特に限定されるものではないが、例えば０．２ｍｍ以上としてもよい。
【００４９】
次いで、図５（ｅ）に示すように、表面遮光層１９及びボーダーライン層２２の背面側からメタリックインキをベタ印刷し、地色層２３を形成する。その際、表示部１５の位置で、表示部１５の形状にメタリックインキを印刷せずに地色層２３を開口させることで、第１の抜き形状部２３ａを形成する。この第１の抜き形状部２３ａにより表示部１５の外縁形状が形成される。また、第１の抜き形状部２３ａ以外の位置では、ボーダーライン層２２の複数のライン２１間にメタリックインキを入り込ませて、メタリックインキをシート材１１に密着させると共に各ライン２１の背面及び側面に密着させる。
【００５０】
次いで、図５（ｆ）に示すように、地色層２３の背面側に、黒インキをベタ印刷し、遮光層２５を形成する。その際、表示部１５の位置では、黒インキを印刷せずに遮光層２５を表示部１５の形状より大きく開口させることで、第３の抜き形状部２５ａを形成する。この第３の抜き形状部２５ａの表示部１５の外縁からのオフセット量、即ち、第１の抜き形状部２３ａからのオフセット量は、特に限定されるものではないが、例えば０．２ｍｍ以上としてもよい。
【００５１】
その後、図５（ｇ）に示すように、キートップ部１３の背面側の表示部１５の位置に、遮光層２５より背面側から透光性の着色インキを印刷し、透光性加飾層２７ａ、２７ｂ、２７ｃを形成する。その際、透光性加飾層２７ａ、２７ｂ、２７ｃは、第３の抜き形状部２５ａより広い範囲に印刷する。
【００５２】
そして、図５（ｈ）に示すように、キートップ部１３の背面全体に白色インキをベタ印刷することで、白色散乱層２９を形成する。これにより、キーシート１０の製造が完了する。
【００５３】
このようにして製造されたキーシート１０は、例えば、接点等の入力部を有する電気部品等が収容された図示しない筐体などに、各キートップ部１３がそれぞれ接点等の入力部に対応する位置となるように装着されて使用される。
【００５４】
使用時には、各キートップ部１３を手指により押圧すると、キートップ部１３の背面側に設けられている接点等の入力部を離接させることができる。この使用時には、背面側から照光されない間は、表示部１５と背景部１７が表面側からの光により視認される。そして、筐体内部に設けられたＬＥＤ等の発光部３１により背面側から照光されると、表示部１５を透過した光が表面側から放射され、表示部１５が点灯した状態で視認される。
【００５５】
以上のようなキーシート１０によれば、背面側から照光されない間は、透明なキートップ部１３の背面側に複数の透光性のライン２１からなるボーダーライン層２２が積層され、このボーダーライン層２２の背面側に地色層２３が積層されて複数のライン２１間に入り込むように形成されているので、表面側からの光により、背景部１７が複数のライン２１と地色層２３とにより立体的な印象で視認されることができる。また、表示部１５が第１乃至第３の抜き形状部２１ａ、２３ａ、２５ａを開口させることで設けられているので、背景部１７とは異なる印象となり、表示部１５が立体的な印象の背景部１７から浮き上がり、或いは、沈み込んだ印象で視認されることができる。
【００５６】
そして、背面側から照光された際には、表示部１５の位置に第１乃至第３の抜き形状部２１ａ、２３ａ、２５ａが設けられているので、背面側からの光が表示部１５から表面側に放射されて視認される。このとき、ボーダーライン層２２に第２の抜き形状部２１ａが設けられることで、表示部１５にはボーダーライン層２２のライン２１が存在していないので、ライン２１による光の濃淡や筋が表示部１５に形成されることがなく、表示部１５から均一な光を放射し易い。同時に、遮光層２５が地色層２３の背面側に積層されているので、背面側からの光が地色層２３を透過してボーダーライン層２２に到達し難く、背景部１７にライン２１による光の濃淡や筋が形成され難い。
【００５７】
その結果、表面側からの光により視認されるときには、背景部１７や表示部１５を立体的な印象で視認でき、背面側からの光により視認されるときには、表示部１５や背景部１７に光の濃淡や筋が形成されずに表示部１５から放射される光を視認できるので、優れた外観品質を確保することが可能である。
【００５８】
また、このキーシート１０によれば、地色層２３が光を乱反射可能な透光性の層からなり、ボーダーライン層２２の第２の抜き形状部２１ａが地色層２３の第１の抜き形状部２３ａより大きく形成されているので、平面視において、ボーダーライン層２２の各ライン２１の表示部１５側の縁部より内側に地色層２３を設けることができるため、ボーダーライン層２２の各ライン２１と表示部１５との間が離間されて表示部１５の近接周囲が光を乱反射可能な地色層２３で囲むことができる。そのため、背面側から照光されない間は、表面側からの光の乱反射により表示部１５が縁取られることで、表示部１５が立体的な印象の背景部１７からより浮き上がり、或いは、沈み込んだ印象で視認させることができる。また、背面側から照光された際には、背面側から第１の抜き形状部２３ａを透過する光がボーダーライン層２２のライン２１の表示部１５側の端部に直接到達することがない。更に、地色層２３を透過した光等がボーダーライン層２２のライン２１の表示部１５側の端部等に到達して光の濃淡や筋などが形成されたとしても、表示部１５の近接周囲の地色層１５の乱反射によりその光の濃淡や筋を目立ち難くすることができる。
【００５９】
更に、このキーシート１０によれば、遮光層２５に設けられた第３の抜き形状部２５ａが、地色層２３に設けられた第１の抜き形状部２３ａより大きく形成されているので、平面視において、遮光層２５の表示部１５側の縁部より内側に地色層２３を設けることができるため、遮光層２５の第３の抜き形状部２５ａと地色層２３の第１の抜き形状部２３ａとに僅かなズレが生じても地色層２３から遮光層２５がはみ出して外部から視認されることがなくて優れた外観品質を確保し易い。更に、背面側から照光された際に、背面側からの光が地色層２３を透過して表示部１５の近接周囲を囲むように放射されることで表示部１５が縁取られるため、表示部１５をより鮮やかに表示することができる。
【００６０】
また、このキーシート１０では、ボーダーライン層２２の全てのライン２１が平面視で遮光層２５の範囲内に配置されているので、背面側から照光された際、地色層２３を透過した光がボーダーライン層２２のライン２１に到達し難く、背景部１７にボーダーライン層２２による光の濃淡や筋が形成されることをより確実に防止することができる。
【００６１】
更に、このキーシート１０では、地色層２３に設けられた第１の抜き形状部２３ａの内側には、背面側からの光を散乱させて透過可能な隠蔽層が設けられているので、背面側から照光されない間には、表示部１５を通して表面側から背面側が視認されることを防止でき、背面側から照光された際には、背面側からの光をより均一に表示部１５から放射して視認させることが可能であり、外観品質をより向上し易い。
【００６２】
また、このキーシート１０では、着色隠蔽層２８が、地色層２３の第１の抜き形状部２３ａ及び遮光層２５の第３の抜き形状部２５ａより大きく設けられているので、平面視において、地色層２３及び遮光層２５と着色隠蔽層２８との間に間隙が形成されず、背面側から照光された際に、表示部１５の近接周囲に背面側からの光が強くなる部位が形成されることがなく、外観品質をより向上し易い。
【００６３】
なお、上記実施の形態のキーシート１０の構成は、この発明の範囲内において、適宜変更することが可能である。
【００６４】
例えば、上記実施の形態では、ボーダーライン層２２のライン２１の第２の抜き形状部２１ａと遮光層２５の第３の抜き形状部２５ａとが同じ大きさに形成された例について説明したが、図６及び図７に示すように、遮光層２５の第３の抜き形状部２５ａがボーダーライン層２２のライン２１の第２の抜き形状部２１ａより小さく形成されることにより、
ライン２１の第２の抜き形状部２１ａ側の縁部より内側に遮光層２５が配置されるように形成してもよい。
【００６５】
このようにすれば、背面側から照光することにより表示部１５において光を放出させるようにしていても、表示部１５周囲の乱反射等によりボーダーライン層２２のライン２１側の縁部に光が到達することをより確実に防止し易くできる。
【００６６】
また、上記実施の形態のキーシート１０では、ボーダーライン層２２の全てのライン２１が、平面視で遮光層２５の範囲内に配置された例について説明したが、ボーダーライン層２２の一部に対応する部分に遮光層２５を設けることなく、背面側から地色層２３を透過した光を一部のボーダーライン層２２のライン２１に達するように構成することにより、照光時に背景部１７に一部のライン２１等が浮き出るようにして、意匠性を向上させることも可能である。
【００６７】
更に、上記実施の形態では、キートップ部１３を複数設けた例について説明したが、一つであってもよい。
【００６８】
また、上記のキーシート１０では、シート材１１に成形体からなるキートップ本体１２を固定してキートップ部１３を構成したが、成形体からなるキートップ本体を設けることなくシート材１１のみによりキートップ部を構成し、これにボーダーライン層２２、地色層２３、遮光層２５を設けることでフィルム状のキーシートを構成してもよい。
【００６９】
更に、上記では、透光性の複数の模様要素からなる模様層として、複数の平行なライン２１からるボーダーライン層２２を設けた例について説明したが、特に限定されるものではない。例えば、各ライン２１は横線の形状に限らず、縦線、斜線、交差線、曲線等であってもよく、また、各種の図形や図柄等であってもよく、任意の形状を形成することが可能である。そのような場合であっても、各模様要素が透光性或いは透明であれば、立体的に視認することができるからである。
【００７０】
更に、複数の模様要素は、必ずしも複数個の模様要素に分離して形成されている必要はなく、複数の離間した部位に、模様要素が配置されない部位を挟んで形成されていればよく、例えば、一つの連続した模様要素からボーダーライン層２２を形成することも可能である。
【００７１】
また、上記では、表示部１５の着色隠蔽層２８として、透光性加飾層２７ａ、２７ｂ、２７ｃと白色散乱層２９とを設けた例について説明したが、何れか一方だけであってもよく、両者を設けることなく用いることも可能である。
【００７２】
更に、透光性加飾層２７ａ、２７ｂ、２７ｃや白色散乱層２９を設ける場合、上記では、着色隠蔽層２８の透光性加飾層２７ａ、２７ｂ、２７ｃを第１乃至第３の抜き形状部２１ａ、２３ａ、２５ａよりも大きく形成し、白色散乱層２９をキートップ部１３の背面全体を覆うように形成したが、透光性加飾層２７ａ、２７ｂ、２７ｃは少なくとも第１の抜き形状部２３ａを塞ぐことが可能であればよく、白色散乱層２９は少なくとも透光性加飾層２７ａ、２７ｂ、２７ｃの全面を被覆できれる形状であればよい。
［発明の実施の形態２］
【００７３】
図８は、この発明の実施の形態２のキーシートを示す。
【００７４】
この実施の形態２のキーシート１０は、透明なシート材１１の表面に、操作位置毎に透明な成形体からなるキートップ本体１２が固定されることで形成されている。ここでは、キートップ本体１２からキートップ部１３が構成されており、キートップ本体１２の背面に表示部１５と背景部１７とが表面側から視認可能に設けられている。
【００７５】
各キートップ部１３の表示部１５及び背景部１７は、実施の形態１と同様に、ライン２１からなるボーダーライン層２２と、地色層２３と、遮光層２５とを備えると共に、透光性加飾層２７ａ、２７ｂ、２７ｃ及び白色散乱層２９からなる着色隠蔽層２８を備える。ここでは、透光性加飾層２７ａ、２７ｂ、２７ｃ及び白色散乱層２９は何れも第１の抜き形状部２３ａ毎に、第１乃至第３の抜き形状部２１ａ、２３ａ、２５ａより大きい形状に設けられている。
【００７６】
これらの表示部１５及び背景部１７を構成する各層２２、２３、２５、２８が設けられたキートップ部１３は、透明な接着剤層３３によりシート材１１に固定されている。その他の構成は、実施の形態１と同様である。
【００７７】
このような構成のキーシート１０であっても、実施の形態１と同様の作用効果を得ることが可能であり、表面側からの光により視認されるときには、背景部１７や表示部１５を立体的な印象で視認でき、背面側からの光により視認されるときには、表示部１５や背景部１７に光の濃淡や筋が形成されずに表示部１５から放射される光を視認でき、優れた外観品質を確保することが可能である。
【００７８】
また、ボーダーライン層２２の第２の抜き形状部２１ａが地色層２３の第１の抜き形状部２３ａより大きく形成されているので、背面側から照光されない間は、表面側からの光の乱反射により表示部１５が縁取られることができ、背面側から照光された際には、背面側から第１の抜き形状部２３ａを透過する光がボーダーライン層２２のライン２１の表示部１５側の端部に直接到達することがない。
【００７９】
更に、遮光層２５の第３の抜き形状部２５ａが地色層２３の第１の抜き形状部２３ａより大きく形成されているので、第３の抜き形状部２５ａと第１の抜き形状部２３ａとに僅かなズレが生じても地色層２３から遮光層２５がはみ出して外部から視認されることがない。更に、背面側から照光された際に、背面側からの光が地色層２３を透過して表示部１５の近接周囲を囲むように放射されることで表示部１５が縁取られることができる。
【００８０】
また、ボーダーライン層２２の全てのライン２１が遮光層２５の範囲内に配置されているので、背面側から照光された際、地色層２３を透過した光がボーダーライン層２２のライン２１に到達し難い。
【００８１】
更に、地色層２３に設けられた第１の抜き形状部２３ａの内側に着色隠蔽層２８が設けられているので、背面側から照光されない間には、表示部１５から背面側が視認されることを防止でき、背面側から照光された際には、背面側からの光をより均一に表示部１５から放射できる。
【００８２】
また、着色隠蔽層２８が地色層２３の第１の抜き形状部２３ａ及び遮光層２５の第３の抜き形状部２５ａより大きく設けられているので、地色層２３及び遮光層２５と着色隠蔽層２８との間に間隙が形成されず、背面側から照光された際に、表示部１５の近接周囲に背面側からの光が強くなる部位が形成されることがない。
【図面の簡単な説明】
【００８３】
【図１】この発明の実施の形態１のキーシートを示す平面図である。
【図２】この発明の実施の形態１のキートップ部の表示部及び背景部を示す平面図である。
【図３】図２のＡ−Ａ断面を厚さ方向に展開した状態で示す図である。
【図４】図２のＢ−Ｂ断面を厚さ方向に展開した状態で示す図である。
【図５】この発明の実施の形態１のキーシートの製造工程を説明する図である。
【図６】この発明の実施の形態１のキーシートの変形例を示すもので、図２のＡ−Ａ断面を厚さ方向に展開した状態で示す図である。
【図７】この発明の実施の形態１のキーシートの変形例を示すもので、図２のＢ−Ｂ断面を厚さ方向に展開した状態で示す図である。
【図８】この発明の実施の形態２のキーシートを示す図２のＡ−Ａ断面相当図である。
【符号の説明】
【００８４】
１０  キーシート
１３  キートップ部
１５  表示部
１７  背景部
２１  ライン（模様要素）
２１ａ  第２の抜き形状部
２２  ボーダーライン層（模様層）
２３  地色層
２３ａ  第１の抜き形状部
２５  遮光層
２５ａ  第３の抜き形状部
【図１】
2010092744.tif 000003
【図２】
2010092744.tif 000004
【図３】
2010092744.tif 000005
【図４】
2010092744.tif 000006
【図５】
2010092744.tif 000007
【図６】
2010092744.tif 000008
【図７】
2010092744.tif 000009
【図８】
2010092744.tif 000010